(57)【要約】【課題】シャッターの安定した移動と必要な移動ストロークを得やすいコネクタを提供する。【解決手段】相手コネクタとの嵌合により前進位置から後退位置に移動するシャッター１７と、シャッター１７に後退位置から前進位置に向けての付勢力を付与するバネとして単一のトーションバネ１８とを有する。トーションバネ１８の両端部１８ｄ，１８ｅを摺動可能に挿入する一対の長孔１７ｃ，１７ｄが、シャッター１７に備えたガイド板１７ｂに設けられ、シャッター１７の移動方向である前後方向に対してハの字状に傾斜する。【選択図】図１０
2018190599.tif 000002
【特許請求の範囲】
【請求項１】
コンタクト支持部を突出させて設けた相手コネクタ内に挿入される挿入部を有し、
前記挿入部は、
絶縁性のボディと、
前記ボディに相互絶縁状態で支持された複数のコンタクトであって、前記ボディの前面から前記挿入部の挿入方向である前方に突出させて設け、前記相手コネクタのコンタクトを電気的に接触させる接触部を備えた複数のコンタクトと、
前記ボディの周囲から前記接触部の周囲を連続的に取り囲むシェルとを有し、
前記接触部が配置された挿入孔であって、前記挿入部の挿入時に前記コンタクト支持部が前方から挿入される挿入孔が形成され、
前記挿入孔に配置され、前記接触部が挿通可能な貫通孔を備えたシャッターであって、前記挿入孔の開口部に臨む前進位置と、前記接触部を前記貫通孔に挿通させた状態で前方に突出させる後退位置との間で前後方向に移動可能なシャッターと、
前記シャッターを前後方向に案内するガイド部と、
前記シャッターを前方に付勢するトーションバネとを有し、
前記挿入部の挿入時に前記コンタクト支持部が前方から前記挿入孔に挿入されると、前記コンタクト支持部により前記シャッターが後方に押されて前記トーションバネの付勢力に抗して前記前進位置から前記後退位置に移動し、前記接触部に前記相手コネクタのコンタクトを電気的に接触させ、
前記挿入部の抜出時に前記コンタクト支持部が前記挿入孔から前方に抜出されると、前記トーションバネの付勢力により前記シャッターを前記後退位置から前記前進位置に復帰させるコネクタであって、
前記ガイド部は、前記シャッターの上端部と下端部のいずれか一方から前記シェルの上面板と下面板のいずれか一方の内面に沿って後方に突出させて設けた平らなガイド板と、前記ボディの上面と下面のいずれか一方に設け、前記ガイド板を前後方向に摺動可能に嵌合させて前後方向に案内するガイド溝からなり、
前記シャッターは、前記ガイド板に設けられ、前記シャッターの移動方向である前後方向に対してハの字状に傾斜した一対の長孔を備え、
前記トーションバネは、前記ボディのガイド溝の底面にさらに設けたバネ収容凹部に前記ガイド板の板厚方向をコイル部の軸方向として収容配置され、前記ガイド溝内に突出させて設けた両端部を備え、この両端部を前記一対の長孔に摺動可能に挿入してあることを特徴とするコネクタ。
【請求項２】
請求項１に記載のコネクタにおいて、
前記一対の長孔は、この前端から後方に向かって相互間隔を漸次大きくするようなハの字状に傾斜したものであることを特徴とするコネクタ。
【請求項３】
１又は２に記載のコネクタにおいて、
前記挿入部は、さらに前記シャッターの前記前進位置での位置決め部を有し、
前記位置決め部は、前記ガイド板の一対の長孔の相互間隔に設けられ、前記シャッターの移動方向である前後方向に延びる第２長孔と、前記ガイド溝の底面からこのガイド溝内に突出させて設けた突起であって、前記第２長孔に摺動可能に挿入した突起からなり、前記挿入部の抜出時に前記シャッターが前記後退位置から前記前進位置に移動したときに、前記第２長孔の後端を前記突起に係合させて前記シャッターを前記前進位置に抜け止め状態に位置決めすることを特徴とするコネクタ。
【請求項４】
１〜３のいずれか１に記載のコネクタにおいて、
前記ガイド部は、前記シャッターの上端部と下端部のいずれか他方から前記シェルの上面板と下面板のいずれか他方の内面に沿って後方に突出させて設けた平らな第２ガイド板と、前記ボディの上面と下面のいずれか他方に設け、前記第２ガイド板を前後方向に摺動可能に嵌合させて前後方向に案内する第２ガイド溝を含むことを特徴とするコネクタ。
【発明の詳細な説明】
【技術分野】
【０００１】
本発明は、相手コネクタとの嵌合（接続）により前進位置（閉位置）から後退位置（開位置）に移動するシャッターと、シャッターに後退位置から前進位置に向けての付勢力を付与するバネとして単一のトーションバネとを有するコネクタに関する。
【背景技術】
【０００２】
特許文献１に開示されている従来のコネクタは、ハウジングとこのハウジングに対して摺動可能に設けたシャッターの一方にトーションバネの一方の腕を係止させ、ハウジングとシャッターの他方にトーションバネの他方の腕を係合させて、シャッターをトーションバネの一方の腕だけで前方に押す。このため、シャッターの安定した移動を得にくいという問題がある。これに対し、特許文献２に開示されたコネクタは、ハウジングにトーションバネのコイル部を係止させて、ハウジングに対して摺動可能に設けたシャッターをトーションバネの両端部で前方に押す。このため、シャッターの安定した移動を得やすくなっている。しかし、トーションバネの両端部は、シャッターの下端部に形成された凹溝であって、シャッターの摺動方向と直交する方向に延びた凹溝に摺動可能に挿入する。このため、シャッターの移動ストロークがトーションバネの一方の端部から凹溝の端部までの距離に制限されるため、シャッターの必要な移動ストロークを得にくいという問題がある。
【先行技術文献】
【特許文献】
【０００３】
【特許文献１】特許第３１０８３４１号公報
【特許文献２】実公昭６０−８３７６号公報
【発明の概要】
【発明が解決しようとする課題】
【０００４】
本発明は、シャッターの安定した移動と必要な移動ストロークを得やすいコネクタを提供することを目的とする。
【課題を解決するための手段】
【０００５】
１．コンタクト支持部を突出させて設けた相手コネクタ内に挿入される挿入部を有し、
前記挿入部は、
絶縁性のボディと、
前記ボディに相互絶縁状態で支持された複数のコンタクトであって、前記ボディの前面から前記挿入部の挿入方向である前方に突出させて設け、前記相手コネクタのコンタクトを電気的に接触させる接触部を備えた複数のコンタクトと、
前記ボディの周囲から前記接触部の周囲を連続的に取り囲むシェルとを有し、
前記接触部が配置された挿入孔であって、前記挿入部の挿入時に前記コンタクト支持部が前方から挿入される挿入孔が形成され、
前記挿入孔に配置され、前記接触部が挿通可能な貫通孔を備えたシャッターであって、前記挿入孔の開口部に臨む前進位置と、前記接触部を前記貫通孔に挿通させた状態で前方に突出させる後退位置との間で前後方向に移動可能なシャッターと、
前記シャッターを前後方向に案内するガイド部と、
前記シャッターを前方に付勢するトーションバネとを有し、
前記挿入部の挿入時に前記コンタクト支持部が前方から前記挿入孔に挿入されると、前記コンタクト支持部により前記シャッターが後方に押されて前記トーションバネの付勢力に抗して前記前進位置から前記後退位置に移動し、前記接触部に前記相手コネクタのコンタクトを電気的に接触させ、
前記挿入部の抜出時に前記コンタクト支持部が前記挿入孔から前方に抜出されると、前記トーションバネの付勢力により前記シャッターを前記後退位置から前記前進位置に復帰させるコネクタであって、
前記ガイド部は、前記シャッターの上端部と下端部のいずれか一方から前記シェルの上面板と下面板のいずれか一方の内面に沿って後方に突出させて設けた平らなガイド板と、前記ボディの上面と下面のいずれか一方に設け、前記ガイド板を前後方向に摺動可能に嵌合させて前後方向に案内するガイド溝からなり、
前記シャッターは、前記ガイド板に設けられ、前記シャッターの移動方向である前後方向に対してハの字状に傾斜した一対の長孔を備え、
前記トーションバネは、前記ボディのガイド溝の底面にさらに設けたバネ収容凹部に前記ガイド板の板厚方向をコイル部の軸方向として収容配置され、前記ガイド溝内に突出させて設けた両端部を備え、この両端部を前記一対の長孔に摺動可能に挿入してあることを特徴とするコネクタ。
【０００６】
１に記載のコネクタでは、挿入部の挿入時にコンタクト支持部が前方から挿入孔に挿入され、コンタクト支持部によりシャッターが後方に押されて前進位置から後退位置に移動すると、ガイド板と一対の長孔とがシャッターと一体的に移動する。この移動によって、トーションバネがコイル部を巻き込む或いは巻き戻すように撓むため、シャッターを後退位置から前進位置に復帰させるための付勢力（トルク）が蓄積される。従って、挿入部の抜出時にコンタクト支持部が挿入孔から前方に抜出されると、トーションバネの付勢力により一対の長孔とガイド板とを介してこれらと一体的にシャッターが後退位置から前進位置に復帰し、挿入孔の開口部を覆うため、挿入孔への塵埃等の侵入を防ぐことができる。
【０００７】
また、トーションバネの両端部を摺動可能に挿入する一対の長孔が、シャッターに備えたガイド板に設けられ、シャッターの移動方向である前後方向に対してハの字状に傾斜したものであるため、シャッターの安定した移動と必要な移動ストロークを得やすいコネクタを提供することができる。
【０００８】
２．１に記載のコネクタにおいて、
前記一対の長孔は、この前端から後方に向かって相互間隔を漸次大きくするようなハの字状に傾斜したものであることを特徴とするコネクタ。
【０００９】
２に記載のコネクタでは、一対の長孔は、この前端から後方に向かって相互間隔を漸次大きくするようなハの字状に傾斜したものであるため、挿入部の挿入時にコイル部を巻き込むようにトーションバネを撓めて使用することができる。なお、一対の長孔が、この前端から後方に向かって相互間隔を漸次小さくするようなハの字状に傾斜したものである場合、挿入部の挿入時にコイル部を巻き戻すようにトーションバネを撓めて使用することができる。
【００１０】
３．１又は２に記載のコネクタにおいて、
前記挿入部は、さらに前記シャッターの前記前進位置での位置決め部を有し、
前記位置決め部は、前記ガイド板の一対の長孔の相互間隔に設けられ、前記シャッターの移動方向である前後方向に延びる第２長孔と、前記ガイド溝の底面からこのガイド溝内に突出させて設けた突起であって、前記第２長孔に摺動可能に挿入した突起からなり、前記挿入部の抜出時に前記シャッターが前記後退位置から前記前進位置に移動したときに、前記第２長孔の後端を前記突起に係合させて前記シャッターを前記前進位置に抜け止め状態に位置決めすることを特徴とするコネクタ。
【００１１】
３に記載のコネクタでは、ガイド板の一対の長孔の相互間隔（スペース）にシャッターの前進位置での位置決め部を組み込むことができる。また、この位置決め部にシャッターを前後方向に案内するガイド部と同じ機能を持たせることができ、より安定したシャッターの移動が得やすくなる。
【００１２】
４．１〜３のいずれか１に記載のコネクタにおいて、
前記ガイド部は、前記シャッターの上端部と下端部のいずれか他方から前記シェルの上面板と下面板のいずれか他方の内面に沿って後方に突出させて設けた平らな第２ガイド板と、前記ボディの上面と下面のいずれか他方に設け、前記第２ガイド板を前後方向に摺動可能に嵌合させて前後方向に案内する第２ガイド溝を含むことを特徴とするコネクタ。
【００１３】
４に記載のコネクタでは、ガイド部によって、シャッターの上端部と下端部とを前後方向に案内することができ、より安定したシャッターの移動が得やすくなる。
【発明の効果】
【００１４】
本発明によれば、トーションバネの両端部を摺動可能に挿入する一対の長孔が、シャッターに備えたガイド板に設けられ、シャッターの移動方向である前後方向に対してハの字状に傾斜したものであるため、シャッターの安定した移動と必要な移動ストロークを得やすいコネクタを提供することができる。
【図面の簡単な説明】
【００１５】
【図１】本発明の実施の形態に係るコネクタの外観図である。
【図２】コネクタのカバー部を透明化した状態の外観図である。
【図３】コネクタの分解図である。
【図４】ボディの下面図である。
【図５】ボディの上面図である。
【図６】シャッターの下面図である。
【図７】シャッターの上面図である。
【図８】挿入部の未挿入時の縦断面図である。
【図９】挿入部の未挿入時の横断面図である。
【図１０】挿入部の未挿入時の一部断面下面図である。
【図１１】挿入部の未挿入時の一部断面上面図である。
【図１２】挿入部の挿入時の縦断面図である。
【図１３】挿入部の挿入時の横断面図である。
【図１４】挿入部の挿入時の一部断面下面図である。
【図１５】挿入部の挿入時の一部断面上面図である。
【発明を実施するための形態】
【００１６】
以下、本発明の実施形態を図面に基づいて説明する。図１に示すコネクタ１０は、車載機器接続用のケーブル１の端末に取り付けられるプラグコネクタであって、コネクタ１０が嵌合（接続）される相手コネクタ１００は、図８，図１２に示すように、車載機器のプリント回路基板１１０に実装されたレセプタクルコネクタである。
【００１７】
図８，図１２に示す相手コネクタ１００は、コネクタ１０の挿入部１２が挿入される挿入孔１２０が前側に開口されたハウジング１３０と、ハウジング１３０に支持された複数のコンタクト１４０を有し、ハウジング１３０は、挿入孔１２０の周囲の覆いである筒状のシェル１５０と、コンタクト１４０を相互絶縁状態で支持する絶縁性のボディ１６０とを有する。
【００１８】
シェル１５０は、プリント回路基板１１０に接続される基板接続端子１５１を備える。シェル１５０は、導電性金属板材を打ち抜き、曲げ加工することにより形成される。
【００１９】
ボディ１６０は、シェル１５０の後端部に嵌合固定される基部１６１と、基部１６１の前面中央部から突出した平板状のコンタクト支持部１６２とを備え、コンタクト支持部１６２を相手コネクタ１００内、具体的には、シェル１５０内、即ち、挿入孔１２０内に突出した状態で支持する。コンタクト支持部１６２には、コンタクト１４０が後方から挿入収容可能なコンタクト収容孔１６３と、コネクタ１０のコンタクト１４の接触部１４ａを前方からコンタクト収容孔１６３内に挿入させるための貫通孔１６４とを備える。ボディ１６０は、縁性合成樹脂材を成形することにより形成される。
【００２０】
コンタクト１４０は、コンタクト収容孔１６３内に設けられ、コンタクト収容孔１６３内に貫通孔１６４を通して挿入されたコネクタ１０のコンタクト１４の接触部１４ａに電気的に接触させるバネ性の接触部１４１と、プリント回路基板１１０に接続される基板接続部１４２とを備える。コンタクト１４０は、導電性金属板材を打ち抜き、曲げ加工することにより形成される。
【００２１】
以上の構成において、相手コネクタ１００は、シェル１５０の基板接続端子１５１とコンタクト１４の基板接続部１４２とをプリント回路基板１１０に半田付けすることにより、プリント回路基板１１０に実装、即ち、電気的に接続され、物理的に固定される。
【００２２】
図１、図２に示すように、コネクタ１０は、ケーブル１の端末が挿入された絶縁性合成樹脂製のカバー部１１と、カバー部１１の前端（先端）から突出した状態で支持された挿入部１２とを有し、挿入部１２がコンタクト支持部１６２を突出させて設けた相手コネクタ１００内、具体的には、シェル１５０内、即ち、挿入孔１２０内に挿入される。
【００２３】
図３，図８〜図１１，図１２〜図１５に示すように、挿入部１２は、絶縁性のボディ１３と、ボディ１３に相互絶縁状態で支持された複数のコンタクト１４であって、ボディ１３の前面から挿入部１２の挿入方向である前方に突出させて設け、相手コネクタ１００のコンタクト１４０を電気的に接触させる接触部１４ａを備えた複数のコンタクト１４と、ボディ１３の周囲から接触部１４ａの周囲を連続的に取り囲むシェル１５とを有し、接触部１４ａが配置され、前面に開口された挿入孔１６が形成され、挿入孔１６に挿入部１２の相手コネクタ１００内への挿入時に相手コネクタ１００内に突出させて設けたコンタクト支持部１６２が挿入される。
【００２４】
また、挿入部１２は、挿入孔１６に配置され、接触部１４ａが挿通可能な貫通孔１７ａを備えたシャッター１７であって、挿入孔１６の開口部に臨む前進位置（閉位置）（図１〜図２，図８〜図１１に示す位置）と、接触部１４ａを貫通孔１７ａに挿通させた状態で前方に突出させる後退位置（開位置）（図１２〜図１５に示す位置）との間で前後方向に移動可能なシャッター１７と、シャッター１７を前後方向に案内するガイド部と、シャッター１７を前方に付勢するトーションバネ１８とを有し、挿入部１２の挿入時にコンタクト支持部１６２が前方から挿入孔１６に挿入されると、コンタクト支持部１６２によりシャッター１７が後方に押されてトーションバネ１８の付勢力に抗して前進位置から後退位置に移動し、接触部１４ａに相手コネクタ１００のコンタクト１４０を電気的に接触させ、挿入部１２の抜出時にコンタクト支持部１６２が挿入孔１６から前方に抜出されると、トーションバネ１７の付勢力によりシャッター１７を後退位置から前進位置に復帰させる。
【００２５】
図４〜図７，図８，図１０，図１２，図１４に示すように、シャッター１７は、この下端部からシェル１５の下面板の内面に沿って後方に突出させて設けた平らなガイド板１７ｂを備える。ボディ１３は、この下面に設け、ガイド板１７ｂを前後方向に摺動可能に嵌合させて前後方向に案内するガイド溝１３ａを備える。そして、ガイド板１７ｂとガイド溝１３ａとでガイド部が構成されている。
【００２６】
図６，図７，図１０，図１４に示すように、シャッター１７は、ガイド板１７ｂに設けられ、シャッター１７の移動方向である前後方向に対してハの字状に傾斜した一対の長孔１７ｃ，１７ｄを備える。この一対の長孔１７ｃ，１７ｄは、より具体的には、この前端から後方に向かって相互間隔を漸次大きくするようなハの字状に傾斜するものである。
【００２７】
図４，図８，図１０，図１２，図１４に示すように、トーションバネ１８は、ボディ１３のガイド溝１３ａの底面に設けたバネ収容凹部１３ｂにガイド板１７ｂの板厚方向（上下方向）をコイル部１８ａの軸方向として収容配置され、一対の腕部１８ｂ，１８ｃの端部を折り曲げてガイド溝１３ａ内に突出させて設けた両端部１８ｄ，１８ｅを備え、この両端部１８ｄ，１８ｅを一対の長孔１７ｃ，１７ｄに摺動可能に挿入してある。
【００２８】
以上の構成において、コネクタ１０は、挿入部１２の挿入時にコンタクト支持部１６２が前方から挿入孔１６に挿入され、コンタクト支持部１６２によりシャッター１７が後方に押されてトーションバネ１８の付勢力に抗して前進位置から後退位置に移動すると、ガイド板１７ｂと一対の長孔１７ｃ，１７ｄとがシャッター１７と一体的に移動する。この移動によって、トーションバネ１８がコイル部１８ａを巻き込むように撓むため、シャッター１７を後退位置から前進位置に復帰させるための付勢力（トルク）が蓄積される（図１２〜図１５参照）。従って、挿入部１２の抜出時にコンタクト支持部１６２が挿入孔１６から前方に抜出されると、トーションバネ１８の付勢力により一対の長孔１７ｃ，１７ｄとガイド板１７ｂとを介してこれらと一体的にシャッター１７が後退位置から前進位置に復帰し、挿入孔１６の開口部を覆うため、挿入孔１６への塵埃等の侵入を防ぐことができる（図８〜図１１参照）。
【００２９】
また、トーションバネ１８の両端部１８ｄ，１８ｅを摺動可能に挿入する一対の長孔１７ｃ，１７ｄが、シャッター１７に備えたガイド板１７ｂに設けられ、シャッター１７の移動方向である前後方向に対してハの字状に傾斜したものであるため、シャッター１７の安定した移動と必要な移動ストロークが得やすくなる。
【００３０】
また、一対の長孔１７ｃ，１７ｄは、この前端から後方に向かって相互間隔を漸次大きくするようなハの字状に傾斜したものであるため、挿入部１２の挿入時にコイル部１８ａを巻き込むようにトーションバネ１８を撓めて使用することができる。各長孔１７ｃ，１７ｄは、図示したような直線状のものの他、図示しない湾曲した円弧状のものであってもよい。
【００３１】
図４，図６，図７，図８，図１０，図１２，図１４に示すように、挿入部１２は、さらにシャッター１７の前進位置での位置決め部を有する。シャッター１７は、ガイド板１７ｂの一対の長孔１７ｃ，１７ｄの相互間隔に設けられ、シャッター１７の移動方向である前後方向に延びる第２長孔１７ｅを備える。ボディ１３は、ガイド溝１３ａの底面からこのガイド溝１３ａ内に突出させて設けた突起１３ｃであって、第２長孔１７ｅに摺動可能に挿入する突起１３ｃを備える。そして、位置決め部は、第２長孔１７ｅと突起１３ｃとで構成され、挿入部１２の抜出時にシャッター１７が後退位置から前進位置に復帰したときに、第２長孔１７ｅの後端を突起１３ｃに係合させてシャッター１７を前進位置に抜け止め状態に位置決めする。
【００３２】
以上の構成において、コネクタ１０は、ガイド板１７ｂの一対の長孔１７ｃ，１７ｄの相互間隔（スペース）にシャッター１７の前進位置での位置決め部を組み込むことができる。また、この位置決め部にシャッター１７を前後方向に案内するガイド部と同じ機能を持たせることができ、より安定したシャッター１７の移動が得やすくなる。
【００３３】
図５〜図７，図８，図１１，図１２，図１５に示すように、シャッター１７は、この上端部からシェル１５の上面板の内面に沿って後方に突出させて設けた平らな第２ガイド板１７ｆを備える。ボディ１３は、この上面に設け、第２ガイド板１７ｆを前後方向に摺動可能に嵌合させて前後方向に案内する第２ガイド溝１３ｄを備える。そして、ガイド部は、第２ガイド板１７ｆと第２ガイド溝１３ｄとを含んで構成される。
【００３４】
以上の構成において、コネクタ１０は、ガイド部によって、シャッター１７の上端部と下端部とを前後方向に案内することができ、より安定したシャッターの移動が得やすくなる。
【００３５】
図２，図３，図８〜図１１，図１２〜図１５に示すように、コネクタ１０は、さらに挿入部１２のコンタクト１４とケーブル１の各芯線導体を接続するためのプリント回路基板１９と、挿入部１２にケーブル１を接続する部分の覆いであるバックシェルとを有し、挿入部１２の周囲の覆いであるシェル１５（フロントシェル）とバックシェルとをシールドとして一体化し、ケーブル１のシールドと緊密に結合するものである。
【００３６】
図４，図５に示すように、ボディ１３は、この左右両端部から後方に突出して設けた一対の基板支持部１３ｅ，１３ｆを備える。
【００３７】
図８〜図１１，図１２〜図１５に示すように、プリント回路基板１９は、この前部がボディ１３の一対の基板支持部１３ｅ，１３ｆ間に嵌合され、ボディ１３から後方に突出した状態で支持される。コンタクト１４は、ボディ１３の後面から一対の基板支持部１３ｅ，１３ｆ間に突出させて設けた基板接続部１４ｂを備える。そして、コンタクト１４の基板接続部１４ｂとケーブル１の各芯線導体とが、それぞれ、プリント回路基板１９のランドに半田付けで接続される。これにより、対応するコンタクト１４と芯線導体がプリント回路基板１９を介して電気的に接続される。
【００３８】
図２，図３，図８〜図１１，図１２〜図１５に示すように、バックシェルは、上向きに開口した断面コ字状のバックシェル本体２０と下向きに開口した断面コ字状のバックシェルカバー２１とで構成される。バックシェル本体２０は、断面矩形の筒状をなすシェル１５の直後に一体に形成され、この後端部に圧着バレル２０ａが一体に形成される。バックシェルカバー２１は、この後端部に圧着バレル２１ａが一体に形成される。そして、プリント回路基板１９をバックシェル本体２０内に収容配置した状態で、ケーブル１の端末において外皮の外側に折り返されているケーブルシールドである編組上にバックシェル本体２０の圧着バレル２０ａを加締めて圧着固定する。この後、バックシェル本体２０に対してバックシェルカバー２１を被せ、互いの側板同士を係合して固定した状態で、バックシェル本体２０の圧着バレル２０ａ上にバックシェル本体２０の圧着バレル２０ａを加締めて圧着固定する。これにより、コネクタ１０は、図２に示す状態になる。この後、インサート成形によりオーバーモールドを施すことにより、カバー部１１が形成される。これにより、コネクタ１０は、図１に示す状態になる。カバー部１１には、ストレインリリーフ１１ａが一体に形成され、このストレインリリーフ１１ａを通してケーブル１が引き出される。
【００３９】
以上の構成において、コネクタ１０は、カバー部１１を手で持ち、カバー部１１の前端から突出した状態で支持された挿入部１２を相手コネクタ１００内に挿入し嵌合することにより、コンタクト１４の接触部１４ａを相手コネクタ１００のコンタクト１４０に電気的に接触させ、相手コネクタ１００のコンタクト１４０とケーブル１の芯線との電気的接続を得る。
【００４０】
また、挿入部１２のコンタクト１４とケーブル１の各芯線導体を接続するためのプリント回路基板１９を備え、ボディ１３から後方に突出した状態で支持することにより、プリント回路基板１９とバックシェル本体２０の下面板との間にシャッター１７のガイド板１７ｂの移動スペースを確保することができ、また、プリント回路基板１９とバックシェルカバー２１の上面板との間にシャッター１７の第２ガイド板１７ｆの移動スペースを確保することができる。
【００４１】
ボディ１３とシャッター１７は、それぞれ、絶縁性合成樹脂材を成形することにより形成される。コンタクト１４、一体のシェル１５とバックシェル本体２０、バックシェルカバー２１は、それぞれ、導電性金属板材を打ち抜き、曲げ加工することにより形成される。
【符号の説明】
【００４２】
１０・・・コネクタ、１２・・・挿入部、１３・・・ボディ、１３ａ・・・ガイド溝、１３ｂ・・・バネ収容凹部、１３ｃ・・・突起、１３ｄ・・・第２ガイド溝、１４・・・コンタクト、１４ａ・・・接触部、１５・・・シェル、１６・・・挿入孔、１７・・・シャッター、１７ａ・・・貫通孔、１７ｂ・・・ガイド板、１７ｃ，１７ｄ・・・長孔、１７ｅ・・・第２長孔、１７ｆ・・・第２ガイド板、１８・・・トーションバネ、１８ａ・・・コイル部、１８ｄ，１８ｅ・・・両端部、１００・・・相手コネクタ、１４０・・・コンタクト、１６２・・・コンタクト支持部
【図１】
2018190599.tif 000003
【図２】
2018190599.tif 000004
【図３】
2018190599.tif 000005
【図４】
2018190599.tif 000006
【図５】
2018190599.tif 000007
【図６】
2018190599.tif 000008
【図７】
2018190599.tif 000009
【図８】
2018190599.tif 000010
【図９】
2018190599.tif 000011
【図１０】
2018190599.tif 000012
【図１１】
2018190599.tif 000013
【図１２】
2018190599.tif 000014
【図１３】
2018190599.tif 000015
【図１４】
2018190599.tif 000016
【図１５】
2018190599.tif 000017